(57)【要約】【課題】  簡単な操作でプレゼンテーションにおける画像情報をキャプチャする。【解決手段】  このサーバ装置１にはプレゼンタによって操作される主端末装置２が有線または無線によって接続されて、プレゼンタの主端末装置２に対する操作に従って、例えばプレゼンテーションにおける画像表示の動作が行われる。そしてこのサーバ装置１からの画像情報がプロジェクタ３Ａ、３Ｂ、３Ｃに供給されて３面のスクリーン４Ａ、４Ｂ、４Ｃにそれぞれ画像が投影表示される。また、参加者によって操作される１台以上の副端末装置５が設けられ、この副端末装置５は例えば無線ＬＡＮ通信機６を通じてサーバ装置１に接続される。さらにスクリーン４Ａ、４Ｂ、４Ｃ上に書き込まれた板書を撮影する板書撮影用カメラ７がサーバ装置１に接続される。またサーバ装置１には、プリンタ８と照明制御装置９が接続されて、この照明制御装置９にてライト１０が制御される。【選択図】        図１
2007072687.tif 000002
【特許請求の範囲】
【請求項１】
所定の空間内に存在する主端末装置と、一以上の副端末装置と、画像表示手段とがサーバ装置を介して接続され、
前記サーバ装置は、前記主端末装置から受信した画像情報を前記画像表示手段で表示する機能と、前記副端末装置からの要求により前記主端末装置から受信した前記画像情報を前記副端末装置に送信する機能とを有する
ことを特徴とする情報展示システム。
【請求項２】
請求項１記載の情報展示システムにおいて、
画像撮影手段が接続され、
前記サーバ装置は、前記画像撮影手段が撮影した画像情報を受信する機能と、前記副端末装置からの要求により前記受信した前記画像情報を前記副端末装置に送信する機能とを有する
ことを特徴とする情報展示システム。
【請求項３】
請求項１または２のいずれかに記載の情報展示システムにおいて、
印刷出力手段が接続され、
前記サーバ装置は、前記主端末装置もしくは前記画像撮影手段から受信した前記画像情報の印刷出力を行う機能を有する
ことを特徴とする情報展示システム。
【請求項４】
請求項２記載の情報展示システムにおいて、
前記サーバ装置は、前記画像表示手段で表示する画像情報及び前記画像撮影手段が撮影した画像情報を前記副端末装置に並列に画像表示させる機能と、前記画像表示の中で選択された前記画像情報を前記副端末装置に送信する機能とを有する
ことを特徴とする情報展示システム。
【請求項５】
請求項１記載の情報展示システムにおいて、
前記サーバ装置は、自己の利用時刻の予約を受け付ける手段を有し、
前記利用時刻の前に少なくとも前記画像表示手段の起動の準備を行う
ことを特徴とする情報展示システム。
【請求項６】
所定の空間内に存在する主端末装置と、一以上の副端末装置と、画像表示手段とが接続される情報展示システムのサーバ装置であって、
前記主端末装置から受信した画像情報を前記画像表示手段で表示する機能と、
前記副端末装置からの要求により前記主端末装置から受信した前記画像情報を前記副端末装置に送信する機能と
を有することを特徴とする情報展示システムのサーバ装置。
【請求項７】
請求項６記載の情報展示システムのサーバ装置において、
前記システムに画像撮影手段が接続され、
前記画像撮影手段が撮影した画像情報を受信する機能と、
前記副端末装置からの要求により前記受信した前記画像情報を前記副端末装置に送信する機能と
を有することを特徴とする情報展示システムのサーバ装置。
【請求項８】
請求項６または７のいずれかに記載の情報展示システムのサーバ装置において、
前記システムに印刷出力手段が接続され、
前記主端末装置もしくは前記画像撮影装置から受信した前記画像情報の印刷出力を行う機能を有する
ことを特徴とする情報展示システムのサーバ装置。
【請求項９】
請求項７記載の情報展示システムのサーバ装置において、
前記画像表示手段で表示する画像情報及び前記画像撮影手段が撮影した画像情報を前記副端末装置に並列に画像表示させる機能と、
前記画像表示の中で選択された前記画像情報を前記副端末装置に送信する機能と
を有することを特徴とする情報展示システムのサーバ装置。
【請求項１０】
請求項６記載の情報展示システムのサーバ装置において、
自己の利用時刻の予約を受け付ける手段を有し、
前記利用時刻の前に少なくとも前記画像表示手段の起動の準備を行う
ことを特徴とする情報展示システムのサーバ装置。
【請求項１１】
所定の空間内に存在する主端末装置と、一以上の副端末装置と、画像表示手段とがサーバ装置を介して接続されたシステムに用いられる情報展示処理プログラムであって、
前記主端末装置から受信した画像情報を前記画像表示手段で表示する機能と、
前記副端末装置からの要求により前記主端末装置から受信した前記画像情報を前記副端末装置に送信する機能と
を実現するようにした情報展示処理プログラム。
【請求項１２】
請求項１１記載の情報展示処理プログラムにおいて、
前記システムに画像撮影手段が接続され、
前記画像撮影手段が撮影した画像情報を受信する機能と、
前記副端末装置からの要求により前記受信した前記画像情報を前記副端末装置に送信する機能と
を実現するようにした情報展示処理プログラム。
【請求項１３】
請求項１１または１２のいずれかに記載の情報展示処理プログラムにおいて、
前記システムに印刷出力手段が接続され、
前記主端末装置もしくは前記画像撮影手段から受信した前記画像情報の印刷出力を行う機能を実現するようにした情報展示処理プログラム。
【請求項１４】
請求項１２記載の情報展示処理プログラムにおいて、
前記画像表示手段で表示する画像情報及び前記画像撮影手段が撮影した画像情報を前記副端末装置に並列に画像表示させる機能と、
前記画像表示の中で選択された前記画像情報を前記副端末装置に送信する機能と
を実現するようにした情報展示処理プログラム。
【請求項１５】
請求項１１記載の情報展示処理プログラムにおいて、
自己の利用時刻の予約を受け付ける機能が設けられ、
前記利用時刻の前に少なくとも前記画像表示手段の起動の準備を行うようにした情報展示処理プログラム。
【発明の詳細な説明】
【技術分野】
【０００１】
本発明は、例えば画像表示手段を用いてプレゼンテーションを行う場合などに使用して好適な情報展示システム、そのサーバ装置及び情報展示処理プログラムに関する。詳しくは、いわゆるプレゼンテーション等を行う場合に、そこで使用される画像情報等が有効に利用されるようにしたものである。
【背景技術】
【０００２】
例えばプレゼンテーションを行う場合に、そこで使用される画像情報等を編集する技術は、提案されている（例えば、特許文献１参照。）。
【０００３】
すなわち、例えばプレゼンテーションで使用される画像情報の順序の入れ替え等を容易にしてプレゼンテーションを容易に行えるようにする技術は提案されている。しかしながら従来の技術では、そこに参加している人たちへの便宜は考えられていないものである。
【特許文献１】特開平５−３４７７５１号公報
【発明の開示】
【発明が解決しようとする課題】
【０００４】
例えば所定の会場を使用してプレゼンテーション等を行う場合には、予め用意された画像情報等を順番にプロジェクタ等の画像表示手段で表示して、その画像に合わせて説明等を行う手法が用いられる。その場合に、予め用意された画像情報等をプレゼンタの端末装置からサーバ装置にアップロードして、そのサーバ装置からプロジェクタ等の画像表示手段に配信することによって、プレゼンテーション等が容易に行われるようにしたシステムを、本願出願人は先に提案（特願２００４−２５３３４４号）している。
【０００５】
ところでこのようなシステムにおいて、例えば画像表示手段で表示されている画像情報等の入手をそこに参加している人が希望した場合などに、その要望に対処するためには、従来は、例えば予め全ての画像情報を印刷して配布するなど手段が取られていた。従って従来のシステムでは、予め全ての画像情報を印刷するなどの、プレゼンテーション等を行うための準備に多くの手間や時間が掛かっていたものである。
【０００６】
また、上述のように予め印刷して配布を行う方法では、参加者は所望していない画像情報も併せて渡されたり、余分に印刷された印刷物が残留したりして、資源の無断な消費が増えるなどの恐れが生じる。さらに上述の方法では、予め配布の準備のない資料については配布することができないものである。なお、予め印刷して配布を行うことによる資源の無断な消費は、上述の特許文献１に記載の技術においても同様に生じるものである。
【０００７】
すなわち従来の技術では、例えばプレゼンテーションに参加している人たちへの便宜は考えられていないものである。この発明はこのような問題点に鑑みて成されたものであって、本発明の目的は、例えばプレゼンテーションで使用される画像情報やその他の画像情報を、参加者等の要求に応じて、容易に配布することができるようにすることである。
【課題を解決するための手段】
【０００８】
上記の課題を解決し、本発明の目的を達成するため、請求項１に記載された発明は、所定の空間内に存在する主端末装置と、一以上の副端末装置と、画像表示手段とがサーバ装置を介して接続され、サーバ装置は、主端末装置から受信した画像情報を画像表示手段で表示する機能と、副端末装置からの要求により主端末装置から受信した画像情報を副端末装置に送信する機能とを有することを特徴とする情報展示システムである。
【０００９】
また、請求項２に記載の情報展示システムにおいては、画像撮影手段が接続され、サーバ装置は、画像撮影手段が撮影した画像情報を受信する機能と、副端末装置からの要求により受信した画像情報を副端末装置に送信する機能とを有することを特徴とするものである。
【００１０】
請求項３に記載の情報展示システムにおいては、印刷出力手段が接続され、サーバ装置は、主端末装置もしくは画像撮影手段から受信した画像情報の印刷出力を行う機能を有することを特徴とするものである。
【００１１】
請求項４に記載の情報展示システムにおいては、サーバ装置は、画像表示手段で表示する画像情報及び画像撮影手段が撮影した画像情報を副端末装置に並列に画像表示させる機能と、画像表示の中で選択された画像情報を副端末装置に送信する機能とを有することを特徴とするものである。
【００１２】
請求項５に記載の情報展示システムにおいては、サーバ装置は、自己の利用時刻の予約を受け付ける手段を有し、利用時刻の前に少なくとも画像表示手段の起動の準備を行うことを特徴とするものである。
【００１３】
さらに、本発明の目的を達成するため、請求項６に記載された発明は、所定の空間内に存在する主端末装置と、一以上の副端末装置と、画像表示手段とが接続される情報展示システムのサーバ装置であって、主端末装置から受信した画像情報を画像表示手段で表示する機能と、副端末装置からの要求により主端末装置から受信した画像情報を副端末装置に送信する機能とを有することを特徴とする情報展示システムのサーバ装置である。
【００１４】
また、請求項７に記載の情報展示システムのサーバ装置においては、システムに画像撮影手段が接続され、画像撮影手段が撮影した画像情報を受信する機能と、副端末装置からの要求により受信した画像情報を副端末装置に送信する機能とを有することを特徴とするものである。
【００１５】
請求項８に記載の情報展示システムのサーバ装置においては、システムに印刷出力手段が接続され、主端末装置もしくは画像撮影装置から受信した画像情報の印刷出力を行う機能を有することを特徴とするものである。
【００１６】
請求項９に記載の情報展示システムのサーバ装置においては、画像表示手段で表示する画像情報及び画像撮影手段が撮影した画像情報を副端末装置に並列に画像表示させる機能と、画像表示の中で選択された画像情報を副端末装置に送信する機能とを有することを特徴とするものである。
【００１７】
請求項１０に記載の情報展示システムのサーバ装置においては、自己の利用時刻の予約を受け付ける手段を有し、利用時刻の前に少なくとも画像表示手段の起動の準備を行うことを特徴とするものである。
【００１８】
さらに、本発明の目的を達成するため、請求項１１に記載された発明は、所定の空間内に存在する主端末装置と、一以上の副端末装置と、画像表示手段とがサーバ装置を介して接続されたシステムに用いられる情報展示処理プログラムであって、主端末装置から受信した画像情報を画像表示手段で表示する機能と、副端末装置からの要求により主端末装置から受信した画像情報を副端末装置に送信する機能とを実現するようにした情報展示処理プログラムである。
【００１９】
また、請求項１２に記載の情報展示処理プログラムにおいては、システムに画像撮影手段が接続され、画像撮影手段が撮影した画像情報を受信する機能と、副端末装置からの要求により受信した画像情報を副端末装置に送信する機能とを実現することを特徴とするものである。
【００２０】
請求項１３に記載の情報展示処理プログラムにおいては、システムに印刷出力手段が接続され、主端末装置もしくは画像撮影手段から受信した画像情報の印刷出力を行う機能を実現することを特徴とするものである。
【００２１】
請求項１４に記載の情報展示処理プログラムにおいては、画像表示手段で表示する画像情報及び画像撮影手段が撮影した画像情報を副端末装置に並列に画像表示させる機能と、画像表示の中で選択された画像情報を副端末装置に送信する機能とを実現することを特徴とするものである。
【００２２】
請求項１５に記載の情報展示処理プログラムにおいては、自己の利用時刻の予約を受け付ける機能が設けられ、利用時刻の前に少なくとも画像表示手段の起動の準備を行うことを特徴とするものである。
【発明の効果】
【００２３】
本発明の情報展示システム、そのサーバ装置及び情報展示処理プログラムによれば、プレゼンタが使用する主端末装置から受信した画像情報を、参加者が使用する副端末装置からの要求により副端末装置に送信する機能を設けることによって、参加者は副端末装置の簡単な操作で、所望の画像情報をキャプチャして利用することができる。
【発明を実施するための最良の形態】
【００２４】
以下、図面を参照して本発明を説明するに、図１は本発明による情報展示システム、そのサーバ装置及び情報展示処理プログラムを適用し、例えばプレゼンテーションに使用可能なシステムの一実施形態の全体の構成を示す模式的な斜視図である。
【００２５】
図１において、サーバ装置１が設けられる。このサーバ装置１には例えばプレゼンタ（図示せず）によって操作される主端末装置（ＰＣ）２が有線または無線によって接続されて、プレゼンタの主端末装置２に対する操作に従って、例えばプレゼンテーションにおける画像表示の動作が行われる。そしてこのサーバ装置１からの画像情報がプロジェクタ３Ａ、３Ｂ、３Ｃに供給されて３面のスクリーン４Ａ、４Ｂ、４Ｃにそれぞれ画像が投影表示される。
【００２６】
また、参加者（図示せず）によって操作される１台以上の副端末装置（ＰＣ）５が設けられ、この副端末装置５は例えば無線ＬＡＮ（Local Area Network）通信機６を通じてサーバ装置１に接続される。さらにスクリーン４Ａ、４Ｂ、４Ｃ上に書き込まれた板書を撮影する板書撮影用カメラ７が設けられ、この板書撮影用カメラ７もサーバ装置１に接続される。またサーバ装置１には、プリンタ８と照明制御装置９が接続されて、この照明制御装置９にてライト１０が制御される。
【００２７】
さらに図２には、具体的なシステムの構成図を示す。なおこの図２は、サーバ装置１がプレゼンタの主端末装置（ＰＣ）２を兼ねている場合であって、プレゼンタが操作を行うためにタッチパネルディスプレイ２１や、マウス２２、キーボード２３等がＲＳ−２３２ＣやＵＳＢ（Universal Serial Bus）等の制御ラインを通じて接続されている。なおマウス２２とキーボード２３は、この例ではＵＳＢ切替器２４を介して接続される。またタッチパネルディスプレイ２１には画像情報の供給用のＲＧＢラインも接続されている。
【００２８】
また、サーバ装置１からの無線若しくは有線ＬＡＮを通じた伝送ラインが表示用サーバ装置３１Ａ、３１Ｂ、３１Ｃに接続される。これにより、表示用サーバ装置３１Ａ、３１Ｂ、３１Ｃでは駆動及び表示のための制御情報及び画像情報が形成され、これらの情報がＲＳ−２３２Ｃの制御ライン及び画像情報の供給用のＲＧＢラインを通じてプロジェクタ３Ａ、３Ｂ、３Ｃに供給される。
【００２９】
さらに、副端末装置５が無線若しくは有線ＬＡＮを通じてサーバ装置１に接続される。またサーバ装置１には、板書撮影用カメラ７、プリンタ８、照明制御装置９と、この照明制御装置９を通じてライト１０が接続される。なおサーバ装置１と、板書撮影用カメラ７、プリンタ８、照明制御装置９との間は、例えばＵＳＢによる制御ラインを通じて制御情報及び画像情報等のデータの伝送を行うことができるものである。
【００３０】
そしてこのようなシステムを用いて、例えばプレゼンテーションを実施する場合の処理動作が以下に延べるように行われる。
【００３１】
まず図３には、プレゼンテーションの開催の予約及び起動を行う手順のシーケンスが示される。ここでは、プレゼンタが操作する主端末装置２、サーバ装置１、表示用サーバ装置３１、プロジェクタ３の間で処理動作が行われる。そして主端末装置２のステップＳ１でサーバ装置１へのログインが行われ、サーバ装置１のステップＳ１１でそれが認証されると、主端末装置２のステップＳ２で開催の日時や参加者などを指定する予約処理が行われ、サーバ装置１のステップＳ１２で指定事項の予約受付が行われる。
【００３２】
さらにサーバ装置１のステップＳ１３で指定時間まで待機され、指定時間になるとステップＳ１４で起動要求が表示用サーバ装置３１に送信される。そして表示用サーバ装置３１でそれが受信されると、表示用サーバ装置３１のステップＳ２１で起動要求がプロジェクタ３に送信される。これによって、プロジェクタ３がステップＳ３１で起動される。なおプロジェクタ３の起動は、表示の安定化等に時間が掛かる場合には、予約された開催の指定時間の前に起動が行われるようにすることができる。
【００３３】
このようにして、プレゼンテーションの開催の予約及び起動が行われる。そして本発明においては、上述のシステムを用いることによって、プレゼンテーションの開催中にプロジェクタ３で投影表示されている画像情報や、スクリーン４に書き込まれた板書の画像情報を、容易に副端末装置５に配布することができる。すなわち、上述のシステムにおいては、プロジェクタ３で投影表示されている画像情報や板書撮影用カメラ７で撮影されている画像情報を、副端末装置５の簡単な操作でキャプチャし利用することができる。
【００３４】
そこで本発明においては、プレゼンテーション開催中の副端末装置５のディスプレイに、例えば図４に示すような画面が表示される。この図４の画面において、画面の左上部には、〔projection capture〕としてLeft（左）、Center（中央）、Right（右）のプロジェクタ３Ａ〜３Ｃの位置を示すアイコンが表示され、これらのアイコンを例えばマウス制御のカーソル（図示せず）で指定して左クリックすることにより、対応するプロジェクタ３Ａ〜３Ｃで投影表示されている画像情報がキャプチャされる。
【００３５】
また、図４の画面の左中部には、〔whiteboard capture〕としてカメラを模したアイコンが表示され、このアイコンを例えばマウス制御のカーソル（図示せず）で指定して左クリックすることにより、板書撮影用カメラ７で撮影されている画像情報がキャプチャされる。さらに画面の下部には、先にキャプチャされた画像情報のアーカイブ〔archive〕が表示される。また画面の右上部には、例えばサーバ装置１に保存されている画像情報等を検索〔search〕するための手段が設けられる。
【００３６】
さらに、このような操作画面を用いて、プロジェクタ３で表示されている画像情報を、参加者が副端末装置５を操作してキャプチャするまでの手順が、図５〜図７に示される。なお、各図５〜図７ではプレゼンタが操作する主端末装置２によって画像情報をプロジェクタ３で表示するまでの手順がそれぞれ異なるものである。従ってこれらの図５〜図７では、プレゼンタが操作する主端末装置２、サーバ装置１、表示用サーバ装置３１、プロジェクタ３、参加者が操作する副端末装置５の間でシーケンスの処理動作が行われる。
【００３７】
まず、図５には、プレゼンタが操作する主端末装置２によって画像情報をプロジェクタ３で表示するまでの手順の第１の実施の形態として、プレゼンタが操作する主端末装置２のデスクトップの画像情報をプロジェクタ３でそのまま表示するまでの手順と、このプロジェクタ３で表示されている画像情報を参加者が副端末装置５を操作してキャプチャするまでの手順のシーケンスが示される。
【００３８】
この図５において、主端末装置２のステップＳ３でサーバ装置１へのログインが行われ、サーバ装置１のステップＳ１５でそれが認証されると、主端末装置２のステップＳ４で画像情報の投影要求が表示用サーバ装置３１に送信される。さらにこの画像情報の投影要求が表示用サーバ装置３１で受信されると、ステップＳ２２で画像情報の投影要求がプロジェクタ３に送信され、これによって、プロジェクタ３のステップＳ３２では画像情報の投影表示が行われる。
【００３９】
これに対して、副端末装置５のステップＳ４１でサーバ装置１へのログインが行われ、サーバ装置１のステップＳ１６でそれが認証されると、例えば図４の画面で〔projection capture〕のアイコンを指定して左クリックすることにより、ステップＳ４２で画面キャプチャ要求がサーバ装置１に送信される。そして画面キャプチャ要求がサーバ装置１で受信されると、ステップＳ１７でこの画面キャプチャ要求が表示用サーバ装置３１に転送され、表示用サーバ装置３１のステップＳ２３でそのときの表示画面がキャプチャされる。
【００４０】
さらに、表示用サーバ装置３１のステップＳ２４でキャプチャされた表示画面の画像情報がサーバ装置１に転送される。そして、この表示用サーバ装置３１から転送された画像情報がサーバ装置１のステップＳ１８で受信され、受信された画像情報がステップＳ１９で保存される。これによって、キャプチャされた表示画面の画像情報がサーバ装置１に保存され、このサーバ装置１に保存された画像情報が、副端末装置５のステップＳ４３で、例えば図４の画面のアーカイブ〔archive〕に順番に表示される。
【００４１】
このようにして、プレゼンタが操作する主端末装置２の画像情報をプロジェクタ３でそのまま表示するまでの手順と、このプロジェクタ３で表示されている画像情報を参加者が副端末装置５を操作してキャプチャするまでの手順のシーケンスの処理動作が行われる。
【００４２】
また、図６には、プレゼンタが操作する主端末装置２によって画像情報をプロジェクタ３で表示するまでの手順の第２の実施の形態として、予め登録済みの画像情報を、プレゼンタが主端末装置２の操作によってプロジェクタ３に表示するまでの手順と、このプロジェクタ３で表示されている画像情報を参加者が副端末装置５を操作してキャプチャするまでの手順のシーケンスが示される。なお、図６において上述の図５と同等の処理を行う部分には同じ符号を付して示す。
【００４３】
この図６において、主端末装置２のステップＳ３でサーバ装置１へのログインが行われ、サーバ装置１のステップＳ１５でそれが認証されると、主端末装置２のステップＳ５で登録済みの画像情報の投影要求がサーバ装置１に送信される。これにより、サーバ装置１のステップＳ１０Ａでは、登録済みファイルの転送が開始され、表示用サーバ装置３１のステップＳ２５でファイルが実行され、これによって、プロジェクタ３のステップＳ３２では画像情報の投影表示が行われる。
【００４４】
このようにして、予め登録済みの画像情報を、プレゼンタが主端末装置２の操作によってプロジェクタ３に表示するまでの手順のシーケンスの処理動作が行われる。なお、プロジェクタ３で表示されている画像情報を参加者が副端末装置５を操作してキャプチャするまでの手順のシーケンスは、上述の図５と同等であるので説明は省略する。
【００４５】
さらに図７には、プレゼンタが操作する主端末装置２によって画像情報をプロジェクタ３で表示するまでの手順の第３の実施の形態として、プレゼンタが操作する主端末装置２からファイルアップロードを行って画像情報をプロジェクタ３に表示するまでの手順と、このプロジェクタ３で表示されている画像情報を参加者が副端末装置５を操作してキャプチャするまでの手順のシーケンスが示される。なお、図７において上述の図５と同等の処理を行う部分には同じ符号を付して示す。
【００４６】
この図７において、主端末装置２のステップＳ３でサーバ装置１へのログインが行われ、サーバ装置１のステップＳ１５でそれが認証されると、主端末装置２のステップＳ６でファイルがサーバ装置１にアップロードされる。これにより、サーバ装置１のステップＳ１０Ｂでは、受信されたファイルの転送が開始され、表示用サーバ装置３１のステップＳ２６でファイルが実行され、これによって、プロジェクタ３のステップＳ３２では画像情報の投影表示が行われる。
【００４７】
このようにして、プレゼンタが操作する主端末装置２からファイルアップロードを行って画像情報をプロジェクタ３に表示するまでの手順のシーケンスの処理動作が行われる。なお、プロジェクタ３で表示されている画像情報を参加者が副端末装置５を操作してキャプチャするまでの手順のシーケンスは、上述の図５と同等であるので説明は省略する。
【００４８】
以上に述べた各図５〜図７の手順のシーケンスの処理動作によって、プレゼンタが操作する主端末装置２によって画像情報をプロジェクタ３で表示すると共に、例えば図４の画面で〔projection capture〕のアイコンを指定して左クリックすることにより、選択されたプロジェクタ３で表示されている画像情報を、参加者が副端末装置５を操作してキャプチャすることができる。
【００４９】
さらに図８には、上述の図４に示す操作画面を用いて、板書撮影用カメラ７で撮影された画像情報をキャプチャするまでの手順を示す。なお、この手順はプレゼンタの主端末装置２及び参加者の副端末装置５のいずれでも実行可能であるので、これらを代表して端末装置５２として説明する。従ってこの図８では、端末装置５２、サーバ装置１、カメラ制御装置７１、板書撮影用カメラ７の間でシーケンスの処理動作が行われるものである。ただしカメラ制御装置７１は、通常は板書撮影用カメラ７に内蔵される制御部である。
【００５０】
そこで図８において、端末装置５２のステップＳ５１でサーバ装置１へのログインが行われ、サーバ装置１のステップＳ６１でそれが認証されると、例えば図４の画面で〔whiteboard capture〕のアイコンを左クリックすることにより、ステップＳ５２で撮影要求がサーバ装置１に送信される。この撮影要求がサーバ装置１で受信され、ステップＳ６２でカメラ制御装置７１に転送され、カメラ制御装置７１のステップＳ７１で板書撮影用カメラ７に撮影要求が行われ、板書撮影用カメラ７のステップＳ８１で撮影が行われる。
【００５１】
さらにカメラ制御装置７１のステップＳ７２で、板書撮影用カメラ７で撮影された画像情報がサーバ装置１に送信される。そしてこのカメラ制御装置７１から送信された画像情報がサーバ装置１のステップＳ６３で受信され、受信された画像情報がステップＳ６４で保存（キャプチャ）される。これによって、板書撮影用カメラ７で撮影された画像情報がサーバ装置１に保存され、このサーバ装置１に保存された画像情報が、端末装置５２のステップＳ５３で、例えば図４の画面のアーカイブ〔archive〕に順番に表示される。
【００５２】
また図９には、上述の図４に示す操作画面を用いて、上述のキャプチャによりサーバ装置１に保存された画像情報を印刷する手順を示す。なお、この手順はプレゼンタの主端末装置２及び参加者の副端末装置５のいずれでも実行可能であるので、これらを代表して端末装置５２として説明する。従ってこの図９では、端末装置５２、サーバ装置１、プリンタ制御装置８１、プリンタ８の間でシーケンスの処理動作が行われるものである。ただしプリンタ制御装置８１は、通常はプリンタ８に内蔵される制御部である。
【００５３】
そこで図９において、端末装置５２のステップＳ５４でサーバ装置１へのログインが行われ、サーバ装置１のステップＳ６５でそれが認証されると、例えば図４の画面で〔archive〕画像に添えられた〔Print〕のアイコンを左クリックすることにより、ステップＳ５５で印刷要求がサーバ装置１に送信される。この印刷要求がサーバ装置１で受信され、ステップＳ６６でプリンタ制御装置８１に転送される。
【００５４】
そして、プリンタ制御装置８１のステップＳ９１でサーバ装置１に印刷するファイルの要求が行われる。これに対して、サーバ装置１のステップＳ６７で画像情報がプリンタ制御装置８１に送信される。さらにプリンタ制御装置８１のステップＳ９２で、サーバ装置１から送信された画像情報が受信され、この画像情報がプリンタ８のステップＳ１０１で印刷される。
【００５５】
これによって、上述のキャプチャによりサーバ装置１に保存され、例えば図４の画面の〔archive〕に表示された画像情報が、その画像に添えられた〔Print〕のアイコンをクリックするだけで、プリンタ８から印刷されて取り出すことができる。なお、プリントと同様の手順によって、サーバ装置１に保存された画像情報の削除〔Del：delete〕や、端末装置５２への取り込み〔Save〕の処理を行うことができる。
【００５６】
さらに図１０には、上述のキャプチャによりサーバ装置１に保存された画像情報を検索する手順を示す。なお、この手順はプレゼンタの主端末装置２及び参加者の副端末装置５のいずれでも実行可能であるので、これらを代表して端末装置５２として説明する。従ってこの図１０では、端末装置５２、サーバ装置１の間でシーケンスの処理動作が行われるものである。
【００５７】
そこで図１０において、端末装置５２のステップＳ５６でサーバ装置１へのログインが行われ、サーバ装置１のステップＳ６８でそれが認証されると、例えば図４の画面で〔search〕画像の空欄に検索条件が記入され〔ＯＫ〕のアイコンを左クリックすることにより、ステップＳ５７で検索要求がサーバ装置１に送信される。この検索要求がサーバ装置１で受信され、ステップＳ６９で検索が行われる。そして、検索結果が端末装置５２に送信される。
【００５８】
これに対して、端末装置５２のステップＳ５８で検索結果の一覧とサムネイルの表示が行われると、さらにステップＳ５９で選択が行われ、その要求がサーバ装置１に送信される。そしてサーバ装置１のステップＳ６０で選択された画像情報が送信され、端末装置５２のステップＳ５０で画像が表示される。これによって、上述のキャプチャによりサーバ装置１に保存された画像情報の検索を行うことができる。
【００５９】
従って、上述した本発明の情報展示システム、そのサーバ装置及び情報展示処理プログラムによれば、プレゼンタが使用する主端末装置から受信した画像情報を、参加者が使用する副端末装置からの要求により副端末装置に送信する機能を設けることによって、参加者は副端末装置の簡単な操作で、所望の画像情報をキャプチャして利用することができる。また、その画像情報の印刷出力や、保存された画像情報の削除、取り込み等も端末装置の簡単な操作で行うことができるものである。
【００６０】
なお図１１には、プレゼンタが使用する主端末装置２からの画像情報をプロジェクタ３で表示する際に、主端末装置２のデスクトップの画像情報をプロジェクタ３でそのまま表示する場合（図１１のＡ）と、主端末装置２のからファイル転送によりプロジェクタ３での表示を行う場合（図１１のＢ）のデータの流れを示す。
【００６１】
すなわち、図１１のＡにおいては、主端末装置２からの映像画面情報がＬＡＮを通じて表示用サーバ装置３１に転送されて、プロジェクタ３に表示が指示される。また画像情報はＲＧＢでプロジェクタ３に供給される。一方、副端末装置５からのキャプチャ要求がサーバ装置１を通じて表示用サーバ装置３１に転送され、このときの画像情報がキャプチャされて、そのデータがサーバ装置１を通じて副端末装置５に送信される。
【００６２】
また、図１１のＢにおいては、主端末装置２からファイルがＬＡＮを通じてサーバ装置１に送信され、このファイルが表示用サーバ装置３１に転送されて、プロジェクタ３に対してファイルが実行される。また画像情報はＲＧＢでプロジェクタ３に供給される。一方、副端末装置５からのキャプチャ要求がサーバ装置１を通じて表示用サーバ装置３１に転送され、このときの画像情報がキャプチャされて、そのデータがサーバ装置１を通じて副端末装置５に送信される。
【００６３】
このようにして、上述のシステムにおいて、主端末装置２のデスクトップの画像情報をプロジェクタ３でそのまま表示する場合と、主端末装置２のからファイル転送によりプロジェクタ３での表示を行う場合それぞれにおいて、主端末装置２からの画像情報がプロジェクタ３で表示されると共に、参加者は副端末装置５の操作によって所望の画像情報のキャプチャを行うことができる。
【００６４】
さらに図１２には、図２に示した具体的なシステムの他の構成図を示す。なお、この図１２において、図２と共通する部分には同一の符号を付して重複の説明を省略する。
【００６５】
そこでこの図１２においては、サーバ装置１にビデオカード１１と、ＲＳ−２３２Ｃ拡張カード１２が設けられ、このビデオカード１１からの画像情報がＲＧＢラインを通じてプロジェクタ３Ａ、３Ｂ、３Ｃに供給されると共に、ＲＳ−２３２Ｃ拡張カード１２からの制御情報がＲＳ−２３２Ｃの制御ラインプロジェクタ３Ａ、３Ｂ、３Ｃに供給される。なおこの場合に、タッチパネルディスプレイ２１の制御ラインも、ＲＳ−２３２Ｃ拡張カード１２を介して接続することができる。他は図２と同様にされる。
【００６６】
従ってこのような構成においても、上述した本発明の情報展示システム、そのサーバ装置及び情報展示処理プログラムによれば、プレゼンタが使用する主端末装置から受信した画像情報を、参加者が使用する副端末装置からの要求により副端末装置に送信する機能を設けることによって、参加者は副端末装置の簡単な操作で、所望の画像情報をキャプチャして利用することができる。また、その画像情報の印刷出力や、保存された画像情報の削除、取り込み等も端末装置の簡単な操作で行うことができるものである。
【００６７】
こうして本発明の情報展示システムによれば、所定の空間内に存在する主端末装置と、一以上の副端末装置と、画像表示手段とがサーバ装置を介して接続され、サーバ装置は、主端末装置から受信した画像情報を画像表示手段で表示する機能と、副端末装置からの要求により主端末装置から受信した画像情報を副端末装置に送信する機能とを有することにより、参加者は副端末装置の簡単な操作で、所望の画像情報をキャプチャして利用することができるものである。
【００６８】
また、本発明の情報展示システムのサーバ装置によれば、所定の空間内に存在する主端末装置と、一以上の副端末装置と、画像表示手段とが接続される情報展示システムのサーバ装置であって、主端末装置から受信した画像情報を画像表示手段で表示する機能と、副端末装置からの要求により主端末装置から受信した画像情報を副端末装置に送信する機能とを有することにより、参加者は副端末装置の簡単な操作で、所望の画像情報をキャプチャして利用することができるものである。
【００６９】
さらに本発明の情報展示処理プログラムによれば、所定の空間内に存在する主端末装置と、一以上の副端末装置と、画像表示手段とがサーバ装置を介して接続されたシステムに用いられる情報展示処理プログラムであって、主端末装置から受信した画像情報を画像表示手段で表示する機能と、副端末装置からの要求により主端末装置から受信した画像情報を副端末装置に送信する機能とを実現することにより、参加者は副端末装置の簡単な操作で、所望の画像情報をキャプチャして利用することができるものである。
【００７０】
なお本発明は、上述の説明した実施形態に限定されるものではなく、特許請求の範囲の記載を逸脱しない範囲において、種々の変形が可能とされるものである。
【図面の簡単な説明】
【００７１】
【図１】本発明による情報展示システム、そのサーバ装置及び情報展示処理プログラムを適用したシステムの一実施形態の全体の構成を示す模式的な斜視図である。
【図２】その具体的なシステムの構成図である。
【図３】その動作の説明のためのシステムシーケンス図である。
【図４】その説明のための画面表示を示す線図である。
【図５】その動作の説明のためのシステムシーケンス図である。
【図６】その動作の説明のためのシステムシーケンス図である。
【図７】その動作の説明のためのシステムシーケンス図である。
【図８】その動作の説明のためのシステムシーケンス図である。
【図９】その動作の説明のためのシステムシーケンス図である。
【図１０】その動作の説明のためのシステムシーケンス図である。
【図１１】映像画面情報及びファイル情報の表示の手順の具体例を示す図である。
【図１２】本発明によるシステムの他の具体的な構成図である。
【符号の説明】
【００７２】
１…サーバ装置、２…主端末装置、３Ａ，３Ｂ，３Ｃ…プロジェクタ、４Ａ，４Ｂ，４Ｃ…スクリーン、５…副端末装置、６…無線ＬＡＮ通信機、７…板書撮影用カメラ、８…プリンタ、９…照明制御装置、１０…ライト
【図１】
2007072687.tif 000003
【図２】
2007072687.tif 000004
【図３】
2007072687.tif 000005
【図４】
2007072687.tif 000006
【図５】
2007072687.tif 000007
【図６】
2007072687.tif 000008
【図７】
2007072687.tif 000009
【図８】
2007072687.tif 000010
【図９】
2007072687.tif 000011
【図１０】
2007072687.tif 000012
【図１１】
2007072687.tif 000013
【図１２】
2007072687.tif 000014